(57)【要約】【課題】画面内において医用画像がその他の領域と比べて強調されることで、医用画像が見やすくなる技術を提供する。【解決手段】医用画像を表示させる画像表示領域とその他の領域とで画成され、前記画像表示領域の面積が全体の五十パーセント以上を占める画像表示画面のテンプレートを記憶しておき、表示手段に表示させる画面を画像表示画面に遷移させるとき、その他の領域に配置されるオブジェクトの各画素の明度を所定量低下させることで明度を調整し、明度が調整されたオブジェクトと医用画像を画像表示画面のテンプレートに配置することで、医用画像を表示する画像表示画面を生成する。【選択図】図１
2009125440.tif 000002
【特許請求の範囲】
【請求項１】
被検体の医用画像を撮影する撮影手段と、
前記医用画像を配置する画像表示画面を含む各種画面を表示する表示手段と、
前記医用画像を表示させる画像表示領域とその他の領域とで画成され、前記画像表示領域の面積が全体の五十パーセント以上を占める画像表示画面テンプレートを含む各種のテンプレートを記憶するテンプレート記憶手段と、
配色情報を含み、前記各種画面に共通で配置されるとともに、前記画像表示画面では前記その他の領域に配置されるオブジェクトを記憶するオブジェクト記憶手段と、
前記撮影手段で撮影された医用画像と前記オブジェクトと前記テンプレートに基づき、前記各種画面の何れかを生成し、前記表示手段に表示させる表示制御手段と、
を備え、
前記表示制御手段は、
前記表示手段に表示させる画面を前記画像表示画面に切り替えるとき、前記オブジェクトの各画素の明度を、前記配色情報に対応する明度から所定量低下させる明度調整手段と、
前記明度調整手段により明度が調整された前記オブジェクトを前記画像表示画面テンプレートのその他の領域に配置し、前記画像表示領域に前記撮影手段で撮影された医用画像を配置することで、前記画像表示画面を生成する画面作成手段と、
を含むこと、
を特徴とする画像診断装置。
【請求項２】
前記明度調整手段は、
前記その他の領域に配置される前記オブジェクトの各画素の明度を、前記配色情報に対応する明度から、前記医用画像の最大明度を所定割合低下させて得られる明度と前記オブジェクトの最小明度との範囲内に低下させること、
を特徴とする請求項１記載の画像診断装置。
【請求項３】
前記記憶手段は、
領域数及び各領域の面積比率が異なる各種のテンプレートを記憶し、
前記表示制御手段は、
前記各種のテンプレートの領域数及び各領域の面積比率を管理するテーブルを記憶する管理手段と、
前記テーブルに基づき、前記画像表示領域の配置位置となる領域の面積が、その他の領域の配置位置となる全領域の面積以上となる前記テンプレートを選出するテンプレート選出手段と、
をさらに含み、
前記テンプレート選出手段で選出されたテンプレートに基づき、前記画像表示画面を生成すること、
を特徴とする請求項１記載の画像診断装置。
【請求項４】
医用画像を表示させる画像表示画面を含む各種画面を表示する表示手段と、
前記医用画像を表示させる画像表示領域とその他の領域とで画成され、前記画像表示領域の面積が全体の五十パーセント以上を占める画像表示画面テンプレートを含む各種のテンプレートを記憶するテンプレート記憶手段と、
配色情報を含み、前記各種画面に共通で配置されるとともに、前記画像表示画面では前記その他の領域に配置されるオブジェクトを記憶するオブジェクト記憶手段と、
前記撮影手段で撮影された医用画像と前記オブジェクトと前記テンプレートに基づき、前記各種画面の何れかを生成し、前記表示手段に表示させる表示制御手段と、
を備え、
前記表示制御手段は、
前記表示手段に表示させる画面を前記画像表示画面に切り替えるとき、前記オブジェクトの各画素の明度を、前記配色情報に対応する明度から所定量低下させる明度調整手段と、
前記明度調整手段により明度が調整された前記オブジェクトを前記画像表示画面テンプレートのその他の領域に配置し、前記画像表示領域に前記医用画像を配置することで、前記画像表示画面を生成する画面作成手段と、
を含むこと、
を特徴とする画像表示装置。
【請求項５】
前記明度調整手段は、
前記その他の領域に配置される前記オブジェクトの各画素の明度を、前記医用画像の最大明度を所定割合低下させて得られる明度と前記オブジェクトの最小明度との範囲内に低下させること、
を特徴とする請求項４記載の画像表示装置。
【請求項６】
前記記憶手段は、
領域数及び各領域の面積比率が異なる各種のテンプレートを記憶し、
前記表示制御手段は、
前記各種のテンプレートの領域数及び各領域の面積比率を管理するテーブルを記憶する管理手段と、
前記テーブルに基づき、前記画像表示領域の配置位置となる領域の面積が、その他の領域の配置位置となる全領域の面積以上となる前記テンプレートを選出するテンプレート選出手段と、
をさらに含み、
前記テンプレート選出手段で選出されたテンプレートに基づき、前記画像表示画面を生成すること、
を特徴とする請求項４記載の画像表示装置。
【発明の詳細な説明】
【技術分野】
【０００１】
この発明は、医用画像を表示する技術に関する。
【背景技術】
【０００２】
近年、Ｘ線ＣＴ装置、Ｘ線診断装置、超音波診断装置、磁気共鳴画像診断装置、又は核医学診断装置等の画像診断装置による被検体内を画像化する技術は高度に発展しており、医用画像による診断は、今日の医療現場では欠かせないものとなっている。
【０００３】
この医用画像による診断は、液晶ディスプレイやＣＲＴディスプレイ等の表示部を備えた画像表示装置に医用画像を表示させることで行われる。この画像表示装置は、画像診断装置や画像ビューア装置に搭載され、検査室や読影室に設置される。検査室や読影室では、医師や技師が画像を観察するために暗室となっており、この作業環境に合わせて医用画像を表示する画面の色調も暗色となっている。
【０００４】
医用画像もグレースケール等の白と黒を基調とした画像であるため、画面内では医用画像を表示している画像表示領域とその他の領域とが同系色となってしまう。従って、画面内では、注目すべき領域が画面の何処に配置されているのかをすぐに識別しにくいといった問題があった。
【０００５】
そのため、医用画像に重なる文字情報の認識精度を向上させる技術（例えば、「特許文献１」参照。）や、表示画像の表示階調変換特性を調整する調整パラメータを自動調整し、安定した高画質の画像を得るといった技術（例えば、「特許文献２」参照。）が提示されている。しかし、最も重要なのは、表示されている医用画像であり、この医用画像がその他の領域と同系色で見にくくなっているのが問題なのであるが、双方の技術ともに、その他の領域との関係において医用画像を見えやすくするといったことを解決するものではなかった。
【０００６】
【特許文献１】特開２００７−１７９１９６号公報
【特許文献２】特開２００７−１４３９８２号公報
【発明の開示】
【発明が解決しようとする課題】
【０００７】
この発明は、上述のような問題点に鑑みてなされたものであり、その目的とするところは、画面内において医用画像がその他の領域と比べて強調されることで、医用画像が見やすくなる技術を提供するものである。
【課題を解決するための手段】
【０００８】
上記課題を解決するために、請求項１記載の本発明に係る画像診断装置は、被検体の医用画像を撮影する撮影手段と、前記医用画像を配置する画像表示画面を含む各種画面を表示する表示手段と、前記医用画像を表示させる画像表示領域とその他の領域とで画成され、前記画像表示領域の面積が全体の五十パーセント以上を占める画像表示画面テンプレートを含む各種のテンプレートを記憶するテンプレート記憶手段と、配色情報を含み、前記各種画面に共通で配置されるとともに、前記画像表示画面では前記その他の領域に配置されるオブジェクトを記憶するオブジェクト記憶手段と、前記撮影手段で撮影された医用画像と前記オブジェクトと前記テンプレートに基づき、前記各種画面の何れかを生成し、前記表示手段に表示させる表示制御手段と、を備え、前記表示制御手段は、前記表示手段に表示させる画面を前記画像表示画面に切り替えるとき、前記オブジェクトの各画素の明度を、前記配色情報に対応する明度から所定量低下させる明度調整手段と、前記明度調整手段により明度が調整された前記オブジェクトを前記画像表示画面テンプレートのその他の領域に配置し、前記画像表示領域に前記撮影手段で撮影された医用画像を配置することで、前記画像表示画面を生成する画面作成手段と、を含むこと、を特徴とする。
【０００９】
また、上記課題を解決するために、請求項４記載の本発明に係る画像表示装置は、医用画像を表示させる画像表示画面を含む各種画面を表示する表示手段と、前記医用画像を表示させる画像表示領域とその他の領域とで画成され、前記画像表示領域の面積が全体の五十パーセント以上を占める画像表示画面テンプレートを含む各種のテンプレートを記憶するテンプレート記憶手段と、配色情報を含み、前記各種画面に共通で配置されるとともに、前記画像表示画面では前記その他の領域に配置されるオブジェクトを記憶するオブジェクト記憶手段と、前記撮影手段で撮影された医用画像と前記オブジェクトと前記テンプレートに基づき、前記各種画面の何れかを生成し、前記表示手段に表示させる表示制御手段と、を備え、前記表示制御手段は、前記表示手段に表示させる画面を前記画像表示画面に切り替えるとき、前記オブジェクトの各画素の明度を、前記配色情報に対応する明度から所定量低下させる明度調整手段と、前記明度調整手段により明度が調整された前記オブジェクトを前記画像表示画面テンプレートのその他の領域に配置し、前記画像表示領域に前記医用画像を配置することで、前記画像表示画面を生成する画面作成手段と、を含むこと、を特徴とする。
【発明の効果】
【００１０】
請求項１又は４記載の本発明によれば、医用画像を表示する画面は、医用画像が全体の５０％以上を占める領域に表示され、また医用画像はオリジナルの明度のままであるがその他の領域は明度が所定量低下して表示されることにより、医用画像が強調されて、医用画像が見やすくなる。
【発明を実施するための最良の形態】
【００１１】
以下、本発明に係る医用画像の表示技術の好適な実施形態について、図面を参照しながら具体的に説明する。
【００１２】
図１は、本実施形態の医用画像の表示技術の具体例の一つである画像診断装置の構成を示すブロック図である。
【００１３】
画像診断装置は、被検体内部の画像である医用画像を撮影する装置である。画像診断装置は、表示装置１と操作部３と撮影部８とから構成される。
【００１４】
この画像診断装置は、例えば、Ｘ線ＣＴ装置、Ｘ線診断装置、超音波診断装置、磁気共鳴画像診断装置、核医学診断装置等である。Ｘ線ＣＴ装置は、撮影部８により、Ｘ線を被検体回りに曝射して、被検体を透過したＸ線から被検体の断層像を撮影し、この断層像を表示装置１で表示する。Ｘ線診断装置は、撮影部８により、Ｘ線を被検体の一方向から曝射して、被検体を透過したＸ線から被検体の平面透過像を撮影し、この平面透過像を表示装置１で表示する。超音波診断装置は、撮影部８により、超音波を被検体内に送受波して被検体内の断層像を撮影し、この断層像を表示装置１で表示する。磁気共鳴画像診断装置は、撮影部８により、静磁場中に置かれた被検体組織の原子核スピンを励起して、発生した磁気共鳴信号（ＭＲ信号）から被検体内の画像を撮影し、この画像を表示装置１で表示する。核医学診断装置は、放射性同位元素（Ｒａｄｉｏｉｓｏｔｏｐｅ：ＲＩ）で標識した薬剤を被検体に投与し、撮影部８により、放射性同位元素から放射されるガンマ線を検出することで被検体内の画像を撮影し、この画像を表示装置１で表示する。
【００１５】
例えば、撮影部８は、超音波を送受波する超音波プローブと、超音波プローブで受波した超音波を反映する信号を処理して医用画像を生成する画像処理回路とからなる。
【００１６】
操作部３は、キーボード、マウス、若しくはトラックボール、又はこれらの複合で構成されており、画像診断装置の操作者によって操作されると、表示装置１や撮影部８に操作信号を入力する。撮影部８は、この操作信号を受けて被検体の撮影を開始する。表示装置１は、この操作信号を受けて、撮影した被検体の画像、各種情報、又は入力操作の結果を表示する各画面に切り替えて表示する。
【００１７】
この表示装置１は、テンプレート記憶部４と医用画像記憶部５とオブジェクト記憶部６と表示制御部７と表示部２とを有する。表示部２は、液晶ディスプレイやＣＲＴディスプレイである。医用画像記憶部５は、所謂メモリであり、撮影部８と電気的に接続され、撮影部８により生成された医用画像を記憶する。表示制御部７は、表示部２に各種の画面を表示させる。
【００１８】
表示制御部７は、画面作成部７２を有しており、画面作成部７２により、テンプレート記憶部４に記憶されている各種の画面用のテンプレートを読み出して、このテンプレートから画面を生成し、生成した画面を表示部２に出力する。医用画像記憶部５に記憶されている医用画像を表示させるときには、テンプレート記憶部４に記憶されている画像表示画面テンプレート４１から画面を生成する。
【００１９】
図２は、テンプレート記憶部４に記憶されている画像表示画面テンプレート４１を示す模式図である。
【００２０】
この画像表示画面テンプレート４１は、画像表示領域４２とその他の領域で画成されている。その他の領域としては、例えば、患者情報領域４３、過去画像アイコン領域４４、撮影条件及び操作アイコン領域４５、及び装置状態表示領域４６である。
【００２１】
画像表示領域４２には、医用画像記憶部５に記憶されている医用画像が配置される。患者情報領域４３には、操作部３を用いて入力された患者情報を示す文字列が配置される。過去画像アイコン領域４４には、過去に撮影された画像がアイコン化されて配置される。撮影条件及び操作アイコン領域４５には、撮影部８が医用画像を撮影する撮影条件を示す文字列が配置され、また表示されている医用画像の拡大や縮小等の加工を指示したり、次又は前の画面に切り替えたりするためのアイコンが配置される。装置状態表示領域４６には、ＨＤＤの残量、デバイスの接続状態、及びプリンタ出力の状態を示すアイコンが配置される。
【００２２】
この画像表示画面テンプレート４１は、医用画像を配置させる画像表示領域４２の面積が画像表示画面全体の５０％以上を占めるようにレイアウトされている。換言すると、画像表示領域４２の面積≧その他の領域となるようにレイアウトされている。医用画像の画像表示領域４２を強調し、操作者が医用画像を見やすくするためである。
【００２３】
また、表示制御部７は、読み出したテンプレートにオブジェクト記憶部６に記憶されている各種のオブジェクトを配置することで各種の画面を生成する。
【００２４】
図３は、オブジェクト記憶部６に記憶されているオブジェクト６１を示す模式図である。
【００２５】
オブジェクト記憶部６には、テンプレートに配置する各種のオブジェクト６１が記憶されている。このオブジェクト６１は、例えば、過去に撮影された画像を呼び出すために過去に撮影された画像をアイコン化した画像や、撮影部８で撮影された医用画像を拡大又は縮小したり、関心領域を設定するためのアイコンや、操作ボタン等のアイコンや、患者情報や撮影条件を示す文字列や、背景色画像である。尚、背景色画像は、背景色を示す配色情報を含めばよく、領域等の大きさは必ずしも必要とせずに画像として認識されるものでなくともよい。これら各オブジェクト６１は、配色情報として各画素の画素値ＲＧＢが並ぶ画像データである。この各オブジェクト６１は、医用画像を表示する画面を含め、各種の画面で共通に配置される。尚、各画面独自のオブジェクト６１も存在する。
【００２６】
この表示制御部７は、さらに明度調整部７１を有する。明度調整部７１は、撮影部８が撮影した医用画像を表示させる画像表示画面を生成するときに、医用画像とともに表示させるオブジェクト６１を、各画素の明度をオリジナルから所定量低下させたオブジェクトに変更する。明度調整部７１は、例えば、オブジェクト６１の各画素から明度を５０％低下させる。オリジナルの明度とは、オブジェクト６１が有する配色情報が表す色調に対応する明度である。
【００２７】
ここで、画面作成部７２は、表示させる画面のテンプレートに各種のオブジェクト６１を配置した表示画面を生成し、この表示画面を表示部２に出力することで、画像表示画面を含め、各種の画面を表示させるが、医用画像を表示する画像表示画面を作成する他は、オブジェクト６１の有する配色情報をそのまま用いて画面を作成する。一方で、撮影部８が撮影した医用画像を表示させる画像表示画面を生成するときは、画面作成部７２は、テンプレート記憶部４に記憶されている画像表示画面テンプレート４１を画面のテンプレートとし、かつ明度調整部７１における明度調整の処理を経たオブジェクト６１と、医用画像記憶部５から読み出した医用画像を、画像表示画面テンプレート４１に配置し、画像表示画面を生成する。
【００２８】
即ち、医用画像を表示しない画面を生成するときは、オブジェクト６１を読み出すと、その読み出したオブジェクト６１をそのままテンプレートへ配置する処理が行われる。画像表示画面を生成するときは、オブジェクト６１を読み出した後、このオブジェクト６１の明度を調整する処理を経てからオブジェクト６１の画像表示画面テンプレート４１への配置の処理が行われる。
【００２９】
以下、明度調整部７１がオブジェクト６１の明度を５０％下げるロジックを説明する。明度調整部７１は、オブジェクト６１の画素をＲＧＢ座標系から明度を含む色座標系であるＨＳＢ座標系に変換し、ＨＳＢ座標系でＢ（明度）を５０％下げた値を算出する。そして、５０％下げた値をＨＳＢ座標系からＲＧＢ座標系に逆変換し、得た値を画素のＲＧＢ座標系の画素値とすることで、オブジェクト６１の各画素の画素値ＲＧＢを、５０％低下した明度に相当する画素値ＲＧＢに変換する。ＨＳＢ座標系は、色相（Hue）、彩度(Saturation),明度(Brightness)の三つの成分からなる色空間である。
【００３０】
即ち、ＲＧＢ各成分の最大値をｍａｘとし、最小値をｍｉｎとすると、
彩度（Ｓ）成分は、Ｓ＝（ｍａｘ−ｍｉｎ）／ｍａｘ×２５５・・・（１）となり、
明度（Ｂ）成分は、Ｂ（ＨＳＢ）＝ｍａｘ・・・（２）となる。
また、色相（Ｈ）成分は、
ｍａｘがＲＧＢのＧ成分に存在し、ｍｉｎがＲＧＢのＢ（ＲＧＢ）成分に存在すれば、Ｈ＝（ｍａｘ−Ｒ（ＲＧＢ））／（ｍａｘ−ｍｉｎ）×６０＋６０・・・（３）となり、
ｍｉｎがＢ（ＲＧＢ）成分に存在しなければ、Ｈ＝（Ｂ（ＲＧＢ）−ｍｉｎ）／（ｍａｘ−ｍｉｎ）×６０＋１２０・・・（４）となる。
また、ｍａｘがＲＧＢのＢ（ＲＧＢ）成分に存在し、ｍｉｎがＲＧＢのＲ成分に存在すれば、色相（Ｈ）成分は、Ｈ＝（ｍａｘ−Ｇ（ＲＧＢ））／（ｍａｘ−ｍｉｎ）×６０＋１８０・・・（５）となり、
ｍｉｎがＲ成分に存在しなければ、Ｈ＝（Ｒ（ＲＧＢ）−ｍｉｎ）／（ｍａｘ−ｍｉｎ）×６０＋２４０・・・（６）となる。
また、ｍａｘがＲＧＢのＲ成分に存在し、ｍｉｎがＲＧＢのＢ（ＲＧＢ）成分に存在すれば、色相（Ｈ）成分は、Ｈ＝（Ｇ（ＲＧＢ）−ｍｉｎ）／（ｍａｘ−ｍｉｎ）×６０・・・（７）となり、
ｍｉｎがＢ（ＲＧＢ）成分に存在しなければ、Ｈ＝（ｍａｘ−Ｂ（ＲＧＢ））／（ｍａｘ−ｍｉｎ）×６０＋３００・・・（８）となる。
【００３１】
明度調整部７１は、オブジェクト６１を構成する画素の画素値ＲＧＢを読み出して、上記式（１）と（２）、及び（３）乃至（８）の何れかによってＲＧＢの各値から色相（Ｈ）、彩度（Ｓ）、及び明度（Ｂ）を算出し、算出した明度（Ｂ）成分の値を５０％に減算した値（ｍａｘ／２）を得る。
【００３２】
そして、５０％に減算した値であるｍａｘ／２を、ｍａｘ／２＝Ｂ（ＨＳＢ）とし、ｍｉｎ＝Ｂ（ＨＳＢ）−Ｓ×Ｂ（ＨＳＢ）／２５５とすると、
ＲＧＢ座標系におけるＲは、
ＨがＨ＜６０であれば、
Ｒ（ＲＧＢ）＝Ｂ（ＨＳＢ）、Ｇ（ＲＧＢ）＝ｍｉｎ＋Ｈ×（Ｂ（ＨＳＢ）−ｍｉｎ）／６０、Ｂ（ＲＧＢ）＝ｍｉｎ・・・（９）となり、
Ｈが６０≦Ｈ＜１２０であれば、
Ｒ（ＲＧＢ）＝Ｂ（ＨＳＢ）−（Ｈ−６０）×（Ｂ（ＨＳＢ）−ｍｉｎ）／６０、Ｇ（ＲＧＢ）＝Ｂ（ＨＳＢ）、Ｂ（ＲＧＢ）＝ｍｉｎ・・・（１０）となり、
Ｈが１２０≦Ｈ＜１８０であれば、
Ｒ（ＲＧＢ）＝ｍｉｎ、Ｇ（ＲＧＢ）＝Ｂ（ＨＳＢ）、Ｂ（ＲＧＢ）＝Ｂ（ＨＳＢ）＋（Ｈ−１２０）×（Ｂ（ＨＳＢ）−ｍｉｎ）／６０・・・（１１）となり、
Ｈが１８０≦Ｈ＜２４０であれば、
Ｒ（ＲＧＢ）＝ｍｉｎ、Ｇ（ＲＧＢ）＝Ｂ（ＨＳＢ）−（Ｈ−１８０）×（Ｂ（ＨＳＢ）−ｍｉｎ）／６０、Ｂ（ＲＧＢ）＝Ｂ（ＨＳＢ）・・・（１２）となり、
Ｈが２４０≦Ｈ＜３００であれば、
Ｒ（ＲＧＢ）＝Ｂ（ＨＳＢ）＋（Ｈ−２４０）×（Ｂ（ＨＳＢ）−ｍｉｎ）／６０、Ｇ（ＲＧＢ）＝ｍｉｎ、Ｂ（ＲＧＢ）＝Ｂ（ＨＳＢ）・・・（１３）となり、
Ｈが３００≦Ｈであれば、
Ｒ（ＲＧＢ）＝Ｂ（ＨＳＢ）、Ｇ（ＲＧＢ）＝ｍｉｎ、Ｂ（ＲＧＢ）＝Ｂ（ＨＳＢ）−（Ｈ−３００）×（Ｂ（ＨＳＢ）−ｍｉｎ）／６０・・・（１４）となる。
【００３３】
明度調整部７１は、算出した明度（Ｂ）成分の値を５０％に減算した値（ｍａｘ／２）を得ると、上記式（９）乃至（１４）の何れかによって色相（Ｈ）成分、彩度（Ｓ）成分、及び５０％に減算した明度（Ｂ）成分の各値から、ＲＧＢ座標系のＲＧＢを算出し、読み出した画素の画素値とする。
【００３４】
図４は、このような明度調整部７１の明度調整処理を示すフローチャートである。
【００３５】
まず、明度調整部７１は、明度調整を行うオブジェクト６１をオブジェクト記憶部６から読み出す（Ｓ０１）。明度調整部７１は、画像表示画面テンプレート４１の各領域に定義されているオブジェクト６１を順次読み出し、それぞれについて以降のＳ０２〜Ｓ０９を行っていく。
【００３６】
明度調整対象のオブジェクト６１を読み出すと、明度調整部７１は、パラメータＮを初期値の１に設定する（Ｓ０２）。パラメータＮは、画素を識別する値である。
【００３７】
そして、明度調整部７１は、読み出したオブジェクト６１を構成するＮ番目の画素の画素値を読み出す（Ｓ０３）。画素値は、ＲＧＢ座標系であり、Ｒ、Ｇ、Ｂのそれぞれに対応した２５６階調の何れかの値をとる。
【００３８】
ＲＧＢ座標系の画素値をＮ番目の画素から読み出すと、明度調整部７１は、読み出した画素値に対応する明度を算出する（Ｓ０４）。即ち、上記式（１）と（２）、及び（３）乃至（８）の何れかによってＲＧＢ座標系のＲＧＢ成分の値から、色相（Ｈ）と彩度（Ｓ）を含め、明度（Ｂ）を算出する。尚、明度（Ｂ）は、ＲＧＢ各成分のうちの最大値である。明度調整部７１は、読み出したＲＧＢ座標系の画素値のＲＧＢ成分を比較し、最大値ｍａｘを明度（Ｂ）とする。
【００３９】
明度調整部７１は、ＨＳＢ座標系の明度（Ｂ）を算出すると、この明度（Ｂ）を所定割合、本実施形態では、５０％低下させた値を算出する（Ｓ０５）。明度調整部７１は、ＲＧＢ各成分のうちの最大値ｍａｘである明度（Ｂ）に０．５を乗じて、ｍａｘ／２を算出する。
【００４０】
そして、明度調整部７１は、算出したｍａｘ／２を明度（Ｂ）とし、この半減させた明度（Ｂ）と、先に算出した色相（Ｈ）と、彩度（Ｓ）とに対応するＲＧＢ座標系の画素値を算出する（Ｓ０６）。即ち、さきに算出した色相（Ｈ）の値を含む範囲に対応した上記式（９）乃至（１４）の何れかの計算式に、算出した色相（Ｈ）と彩度（Ｓ）と半減させた明度（Ｂ）の値を代入して、ＲＧＢの各成分の値を算出する。
【００４１】
明度調整部７１は、明度（Ｂ）を半減させたＲＧＢ座標系の画素値を算出すると、Ｎ番目の画素の画素値を明度（Ｂ）を半減させたＲＧＢ座標系の画素値に変更する（Ｓ０７）。これにより、Ｎ番目の画素は、明度が半減する。
【００４２】
Ｎ番目の画素の明度調整が終了すると、明度調整部７１は、Ｎ＝Ｎ＋１とし（Ｓ０８）、Ｎ＞ｍａｘでない即ち最後の画素まで明度調整が終了していなければ（Ｓ０９，Ｎｏ）、次の画素即ち新たなＮ番目の画素についてＳ０３〜Ｓ０９を繰り返し、明度を半減させる調整を行う。一方、Ｎ＞ｍａｘであれば（Ｓ０９，Ｙｅｓ）、読み出したオブジェクト６１についての明度調整を終了する。
【００４３】
このような表示装置１を有する画像診断装置の画面切り替えの具体例を図５乃至８に示す。
【００４４】
図５は、画像診断装置において表示装置１が表示させる画面の切り替えを示す遷移図である。
【００４５】
画像診断装置において、表示装置１は、起動後、患者情報を入力するテンプレートとそのテンプレートに配置するオブジェクト６１を読み出して、患者情報入力画面Ｓｃ１を表示部２に表示させる。
【００４６】
図６は、第１番目の画面である患者情報入力画面Ｓｃ１を示す模式図である。
【００４７】
患者情報入力画面Ｓｃ１は、患者情報を入力する画面であり、医用画像は配置されない。従って、表示制御部７は、患者情報入力画面Ｓｃ１を生成するとき、即ち最初の画面の生成では、オブジェクト６１をオリジナルのまま換言するとオブジェクト６１に設定されている画素値によって表される明度のまま、配置する。
【００４８】
このとき、画面作成部７２は、テンプレート記憶部４から患者情報入力画面Ｓｃ１に対応するテンプレートを読み出す。そして、画面作成部７２は、オブジェクト記憶部６からオブジェクト６１を明度調整を経ずに読み出し、そのままこれらオブジェクト６１をテンプレートに配置する。
【００４９】
この患者情報入力画面Ｓｃ１には、検査を開始させる検査開始ボタンｓｂのアイコンが表示されている。操作部３を用いてカーソルを検査開始ボタンｓｂに合わせ、クリック等によりこの検査開始ボタンｓｂを押下すると、撮影部８による被検体の撮影が開始され、撮影された医用画像が医用画像記憶部５に記憶される。
【００５０】
同時に、表示部２に表示される画面は、患者情報入力画面Ｓｃ１から画像表示画面である検査中画面Ｓｃ２に切り替える。表示装置１は、検査開始ボタンｓｂが押下されると、画像表示画面である検査中画面Ｓｃ２を生成し、表示部２に表示させる。
【００５１】
図７は、患者情報入力画面Ｓｃ１から画像表示画面である検査中画面Ｓｃ２に切り替えたときに表示装置１が行う画像表示画面の表示処理を示すフローチャートである。
【００５２】
まず、操作部３を用いてカーソルを検査開始ボタンｓｂに合わせて押下されると（Ｓ１１）、画面作成部７２は、テンプレート記憶部４から検査中画面Ｓｃ２のテンプレートである画像表示領域４２が全体の５０％以上を占める画像表示画面テンプレート４１を読み出す（Ｓ１２）。
【００５３】
さらに、明度調整部７１は、オブジェクト記憶部６から検査中画面Ｓｃ２に配置するオブジェクト６１を読み出す（Ｓ１３）。そして、明度調整部７１は、Ｓ０１〜Ｓ０９の明度調整処理を行い、読み出したオブジェクト６１を、オリジナルの明度から５０％低下させた明度を有するオブジェクト６１に変更する（Ｓ１４）。
【００５４】
画面作成部７２は、明度調整部７１により明度調整されたオブジェクト６１を読み出し、検査中画面Ｓｃ２の画像表示画面テンプレート４１の患者情報領域４３等のその他の領域に配置する（Ｓ１５）。さらに、画面作成部７２は、撮影部８により撮影された医用画像を医用画像記憶部５から読み出し（Ｓ１６）、読み出した医用画像を検査中画面Ｓｃ２の画像表示画面テンプレート４１の画像表示領域４２に配置する（Ｓ１７）。
【００５５】
医用画像をオリジナルの明度のまま全体の５０％以上を占める画像表示領域４２に配置し、明度調整したオブジェクト６１をその他の領域に配置すると、画面作成部７２は、この医用画像とオブジェクト６１を画像表示画面テンプレート４１に配置することで生成された検査中画面Ｓｃ２を表示部２に出力することで表示させる（Ｓ１８）。
【００５６】
図８は、患者情報入力画面Ｓｃ１から切り替えた画像表示画面である検査中画面Ｓｃ２を示す模式図である。
【００５７】
検査中画面Ｓｃ２には、全体の５０％以上の面積を占める画像表示領域４２に医用画像がオリジナルの明度のまま表示される。そして、検査中画面Ｓｃ２の画像表示領域４２以外のその他の領域には、オブジェクト６１が、患者情報入力画面Ｓｃ１と比べて明度が５０％低下して表示される。
【００５８】
このように、この表示装置１を有する画像診断装置では、医用画像を表示する画面では、医用画像が全体の５０％以上を占める領域に表示されること、また医用画像はオリジナルの明度のままであるがその他の領域は明度が所定量低下して表示されることにより、医用画像が強調されて、医用画像が見やすくなる。
【００５９】
尚、この検査中画面Ｓｃ２からは、過去検査表示画面Ｓｃ３に切り替えることができ、過去検査表示画面Ｓｃ３からは、過去検査リスト画面Ｓｃ４に切り替え可能となっている。切り替えを指示する操作ボタンが押下されると、表示装置１は、その切り替え先の画面に対応したテンプレートから切り替え先の画面を生成する。この過去検査表示画面Ｓｃ３にも過去の医用画像が表示される。従って、表示装置１は、過去検査表示画面Ｓｃ３に切り替えるときにも、過去の医用画像を表示する画像表示領域４２が全体の５０％以上を占めるテンプレートを読み出し、オブジェクト６１の明度調整を行ってから配置する。
【００６０】
この表示装置１は、画像診断装置の他にも、医用画像を表示する画像ビューア装置等の画像表示装置にも適用することができる。図９は、画像ビューア装置を示すブロック図である。
【００６１】
画像ビューア装置は、画像診断装置が有する表示装置１をワークステーションやパーソナルコンピュータのソフトウェア処理により実現したものである。この画像ビューア装置は、医用画像を保管する画像サーバ１００にネットワークＮＷを介して接続されており、表示装置１の各構成と検索インターフェース部１１を有する。
【００６２】
検索インターフェース部１１は、医用画像を検索する検索キーを操作部３を用いて入力されると、この検索キーに対応する医用画像のリストを要求するコマンドを画像サーバ１００に送信し、医用画像のリストを受信すると、表示部２に表示させる。さらに、操作部３を用いてリストの何れかが選択されると、選択された医用画像を要求するコマンドを画像サーバ１００に送信する。画像サーバ１００は、医用画像のデータベースを有し、このデータベースを参照して、検索キーに対応する医用画像を検索し、選択された医用画像を読み出して画像ビューア装置に送信する。
【００６３】
医用画像を受信すると、画像ビューア装置では、表示装置１の各構成により、画像表示領域４２が全体の５０％以上を占める画像表示画面テンプレート４１を用いて医用画像を表示する。医用画像とともに表示されるオブジェクト６１は、明度調整がなされた上で画像表示画面テンプレート４１に配置される。
【００６４】
また、この表示装置１では、医用画像が表示される画像表示領域４２以外のその他の領域の明度を、一律に予め定めた割合だけ低下するようにしたが、このその他の領域の明度がもともと暗い場合、さらに明度を例えば５０％低下させると、その他の領域に配置されるオブジェクト６１が必要以上に見えづらくなる可能性がある。そのために、この表示装置１では、その他の領域の明度の範囲を定義し、その幅の中で動的に明度を調整するようにしてもよい。
【００６５】
図１０は、この動的に明度を調整する態様を示すグラフである。
【００６６】
縦軸は、明度であり、横軸は、領域の種類である。画像表示領域４２に表示される医用画像を構成する各画素が有する画素値をＨＳＢ座標系の値に変換したときの最大明度をαとし、最低明度をβとし、その他の領域を構成する各画素が有する画素値をＨＳＢ座標系の値に変換したときの最大明度をγとし、最低明度をδとする。
【００６７】
この場合、明度調整部７１は、その他の領域の最低明度δが閾値ε以下であれば、この最低明度を有する画素の明度を５０％以下とすると見えにくくなるために、その他の領域の明度の範囲を、上限を医用画像の最大明度の半分、即ちα／２とし、下限をその他の領域が有する最低明度、即ちδとし、その他の領域が有する明度の分散をこのα／２〜δの範囲にスケールダウンするように明度を調整する。
【００６８】
即ち、明度調整部７１は、その他の領域の最低明度が閾値δ以下であれば、以下の計算式（１５）によって、各画素の明度ｘから調整後の各明度ｙを算出し、この算出した明度ｙになるように各画素の画素値を変更する。
【００６９】
（γ−ｘ）／（γ−δ）＝（α／２−ｙ）／（α／２−δ）・・・（１５）
【００７０】
図１１は、このような動的に明度を調整する明度調整部７１の明度調整処理を示すフローチャートである。
【００７１】
まず、明度調整部７１は、画像表示画面テンプレート４１に配置する各オブジェクト６１に閾値２δ以下の明度に相当する画素値が存在するか判断する（Ｓ２１）。明度調整部７１は、これら各オブジェクト６１をオブジェクト記憶部６から読み出し、各オブジェクト６１を構成する各画素のＲＧＢ座標系の各画素値から、式（２）を用いてＨＳＢ座標系の明度を得る。そして、各明度と閾値εを比較する。
【００７２】
閾値ε以下の明度に相当する画素値が存在しなければ（Ｓ２１，Ｎｏ）、明度を一律５０％低下させても見えづらくなることはないので、Ｓ０１〜Ｓ０９の明度を５０％低下させる処理を行うことで（Ｓ２２）、明度を調整して処理を終了する。
【００７３】
閾値ε以下の明度に相当する画素値が存在すれば（Ｓ２１，Ｙｅｓ）、医用画像の各画素値から最大明度αを算出する（Ｓ２３）。明度調整部７１は、表示する医用画像を医用画像記憶部５から読み出して、ＲＧＢ座標系の各画素値から、式（２）を用いてＨＳＢ座標系の明度を得る。そして、明度調整部７１は、各明度のうちの最大明度αを取得する。
【００７４】
また、明度調整部７１は、各オブジェクト６１の各画素値から全オブジェクト６１中の最小明度δを算出する（Ｓ２４）。明度調整部７１は、画像表示画面テンプレート４１に配置する各オブジェクト６１をオブジェクト記憶部６から読み出し、読み出したオブジェクト６１のＲＧＢ座標系の各画素値から、式（２）を用いてＨＳＢ座標系の明度を得る。そして、明度調整部７１は、各明度のうちの最小明度δを取得する。
【００７５】
次に、明度調整を行うオブジェクト６１をオブジェクト記憶部６から読み出す（Ｓ２５）。明度調整部７１は、画像表示画面テンプレート４１の各領域に定義されているオブジェクト６１を順次読み出し、それぞれについて以降のＳ２５〜Ｓ３３を行っていく。
【００７６】
明度調整対象のオブジェクト６１を読み出すと、明度調整部７１は、パラメータＮを初期値の１に設定する（Ｓ２６）。Ｎ＝１に初期化すると、明度調整部７１は、読み出したオブジェクト６１を構成するＮ番目の画素の画素値を読み出す（Ｓ２７）。
【００７７】
ＲＧＢ座標系の画素値をＮ番目の画素から読み出すと、明度調整部７１は、読み出した画素値に対応する明度を算出する（Ｓ２８）。即ち、上記式（１）と（２）、及び（３）乃至（８）の何れかによってＲＧＢ座標系のＲＧＢ成分の値から、ＨＳＢ座標系における色相と彩度と明度ｘを算出する。
【００７８】
明度調整部７１は、ＨＳＢ座標系の明度ｘを算出すると、式（１５）を用いて、上限を医用画像の最大明度αの半分即ちα／２、下限を配置するオブジェクト６１を構成する画素の最低明度δとする範囲に明度の分散をスケールダウンすることで、明度を所定割合低下させてた値を算出する（Ｓ２９）。
【００７９】
そして、明度調整部７１は、算出した値ｙを明度とし、この明度と、先に算出した色相と、彩度とに対応するＲＧＢ座標系の画素値を算出する（Ｓ３０）。即ち、さきに算出した色相の値を含む範囲に対応した上記式（９）乃至（１４）の何れかの計算式に、算出した色相と彩度と値ｙを有する明度の値を代入して、ＲＧＢの各成分の値を算出する。
【００８０】
明度調整部７１は、明度を値ｙに低下させたＲＧＢ座標系の画素値を算出すると、Ｎ番目の画素の画素値をこの算出した画素値に変更する（Ｓ３１）。
【００８１】
Ｎ番目の画素の明度調整が終了すると、明度調整部７１は、Ｎ＝Ｎ＋１とし（Ｓ３２）、Ｎ＞ｍａｘでない即ち最後の画素まで明度調整が終了していなければ（Ｓ３３，Ｎｏ）、次の画素即ち新たなＮ番目の画素についてＳ２７〜Ｓ３３を繰り返す。一方、Ｎ＞ｍａｘであれば（Ｓ３３，Ｙｅｓ）、読み出したオブジェクト６１についての明度調整を終了する。
【００８２】
このように、明度を動的に調整することで、医用画像を強調して表示できるとともに、明度調整後もその他の領域に配されるアイコンや文字列等のオブジェクト６１が見えづらくなってしまうことを防止することができる。
【００８３】
また、本実施形態の画像診断装置や画像ビューア装置が有する表示装置１では、医用画像を表示するための画像表示画面テンプレート４１が一義的に定められていたが、画像表示画面に対応するテンプレートを一義的に関連付け等により設定せず、医用画像を表示するために適したテンプレート、即ち全体の５０％以上を占める領域が存在するテンプレートを、各種記憶されているテンプレートから選出するようにしてもよい。
【００８４】
図１２は、医用画像を表示するために適したテンプレートを選出する表示装置１の構成を示すブロック図である。
【００８５】
この表示装置１は、テンプレート選出部１０とテーブル管理部９をさらに有する。画面作成部７２は、テンプレート記憶部４に直接アクセスしない。テンプレート選出部１０によりテンプレート記憶部４にアクセスされ、テンプレート選出部１０が選出したテンプレートが画面作成部７２に読み込まれる。
【００８６】
テンプレート選出部１０は、一つの領域が全体の５０％以上を占めるテンプレートを画像表示画面を生成するためのテンプレートとして選出する。テンプレート記憶部４には、各種の領域数を有し、かつその領域が各種の面積を有する複数のテンプレートが記憶されている。各テンプレートは、テンプレートＩＤによって識別される。
【００８７】
テーブル管理部９は、テンプレートＩＤ毎に、そのテンプレートＩＤで識別されるテンプレートの領域数と、各領域の面積とをレコード化して管理している。即ち、このレコードで構成される管理テーブルを記憶している。
【００８８】
テンプレート選出部１０は、このテーブル管理部９で管理されている管理テーブルを参照して一つの領域が５０％以上を占めるテンプレートを選出する。
【００８９】
図１３は、このテンプレート選出部１０による画像表示画面を生成するためのテンプレートを選出する処理を示すフローチャートである。
【００９０】
まず、操作部３を用いてカーソルを検査開始ボタンｓｂに合わせて押下されると、テンプレート選出部１０は、管理テーブルをテーブル管理部９から読み出す（Ｓ４１）。そして、テンプレート選出部１０は、レコード毎に画像表示領域４２の面積の全体に対する割合を算出する（Ｓ４２）。テンプレート選出部１０は、ある任意のレコードに記録されている各領域の面積を総計することで全体面積を算出し、そのレコードに記録されている最も大きい面積を探索して画像表示領域４２とし、この最も大きい面積の全体面積に占める割合を算出する。
【００９１】
画像表示領域４２の面積の全体に対する割合を算出されると、テンプレート選出部１０は、算出した割合が５０％以上となったレコードのテンプレートＩＤを取得する（Ｓ４３）。複数のテンプレートＩＤが取得される場合には、領域数等の他の優先順位により一つのテンプレートＩＤに絞る。
【００９２】
テンプレートＩＤが取得されると、画面作成部７２は、取得されたテンプレートＩＤで識別されるテンプレートを画像表示画面テンプレート４１としてテンプレート記憶部４から読み出し（Ｓ４４）、Ｓ１３〜Ｓ１８の画像表示画面生成処理を実行する（Ｓ４５）。
【００９３】
画像表示領域４２以外の他の領域については、表示する情報種の数、及びその優先度を考慮して、どの領域にどの情報種別を配置するかを決定すればよい。例えば、メーカロゴや装置名ロゴは画面上部に、装置情報は最下部に配置する。
【００９４】
以上説明した表示装置１は、専用の回路で構成してもよいし、所謂コンピュータで構成するようにしてもよい。コンピュータで構成した場合、ハードディスク等の外部記憶装置にこの表示装置１を機能させる制御プログラムを記憶させておき、ＲＡＭに適宜展開してＣＰＵにより解読及び実行させるようにすればよい。コンピュータで構成される場合は、テンプレート記憶部４とオブジェクト記憶部６とテーブル管理部９は、外部記憶装置を主に含み構成され、表示制御部７とテンプレート選出部１０と検索インターフェース部１１は、主にプロセッサとワークメモリを含み構成される。
【図面の簡単な説明】
【００９５】
【図１】本実施形態の医用画像の表示技術の具体例の一つである画像診断装置の構成を示すブロック図である。
【図２】Ｘ線画像表示画面テンプレートを示す模式図である。
【図３】オブジェクトを示す模式図である。
【図４】明度調整処理を示すフローチャートである。
【図５】画像診断装置において画像表示装置が表示させる画面の切り替えを示す遷移図である。
【図６】患者情報入力画面を示す模式図である。
【図７】画像表示画面である検査中画面に切り替えたときに表示装置が行う画像表示画面の表示処理を示すフローチャートである。
【図８】画像表示画面である検査中画面を示す模式図である。
【図９】画像ビューア装置を示すブロック図である。
【図１０】動的に明度を調整する態様を示すグラフである。
【図１１】動的に明度を調整する明度調整処理を示すフローチャートである。
【図１２】医用画像を表示するために適したテンプレートを選出する画像表示装置の構成を示すブロック図である。
【図１３】画像表示画面を生成するためのテンプレートを選出する処理を示すフローチャートである。
【符号の説明】
【００９６】
１  表示装置
２  表示部
３  操作部
４  テンプレート記憶部
４１  画像表示画面テンプレート
４２  画像表示領域
４３  患者情報領域
４４  過去画像アイコン領域
４５  撮影条件及び操作アイコン領域
４６  装置状態表示領域
５  医用画像記憶部
６  オブジェクト記憶部
６１  オブジェクト
７  表示制御部
７１  明度調整部
７２  画面作成部
８  撮影部
９  テーブル管理部
１０  テンプレート選出部
１１  検索インターフェース部
１００  画像サーバ
ＮＷ  ネットワーク
Ｓｃ１  患者入力画面
Ｓｃ２  検査中画面
Ｓｃ３  過去検査表次画面
Ｓｃ４  過去検査リスト表示画面
【図１】
2009125440.tif 000003
【図２】
2009125440.tif 000004
【図４】
2009125440.tif 000005
【図５】
2009125440.tif 000006
【図６】
2009125440.tif 000007
【図７】
2009125440.tif 000008
【図８】
2009125440.tif 000009
【図９】
2009125440.tif 000010
【図１０】
2009125440.tif 000011
【図１１】
2009125440.tif 000012
【図１２】
2009125440.tif 000013
【図１３】
2009125440.tif 000014
【図３】
2009125440.tif 000015